(57)【要約】【課題】ゴム球を用いた免震装置において、常に良好な免震性能を発揮することが可能な免震装置を提供する。【解決手段】上下の硬質板１，２間に複数のゴム球３を転動可能に配置した免震装置において、上下の硬質板１，２間に各ゴム球３を転動可能に区分する枠体４を配置する。【選択図】図２
2005233201.tif 000002
【特許請求の範囲】
【請求項１】
上下の硬質板間に複数のゴム球を転動可能に配置した免震装置において、前記上下の硬質板間に各ゴム球を転動可能に区分する枠体を配置した免震装置。
【請求項２】
前記枠体は、上下に開口する各ゴム球の収容空間部を有する請求項１に記載の免震装置。
【請求項３】
前記収容空間部を囲む側壁部に、前記ゴム球を該収容空間部内で位置決めする可撓性部材を突設した請求項２に記載の免震装置。
【請求項４】
前記可撓性部材が樹脂フィルムからなり、該樹脂フィルムが前記側壁部の上端に環状に突出する請求項３に記載の免震装置。
【請求項５】
前記枠体の下面に、前記下硬質板に摺動可能に当接する複数の突起部を設けた請求項１，２，３または４に記載の免震装置。
【請求項６】
前記枠体が発泡スチロールからなる請求項１，２，３，４または５に記載の免震装置。
【発明の詳細な説明】
【技術分野】
【０００１】
本発明は、ゴム球を用いた免震装置に関し、更に詳しくは、常に良好な免震性能を発揮するようにした免震装置に関する。
【背景技術】
【０００２】
近年、戸建用の免震装置として、ゴム球を使用するようにした免震装置が提案されている。上部構造物と下部構造物との間に複数のゴム球が転動可能に配置され、地震の際にゴム球が剪断変形を受けながら上部構造物と下部構造物との間で転動することにより、建物に伝達される地震の震動を減衰するようにしている（例えば、特許文献１参照）。
【０００３】
しかしながら、上述したゴム球を用いた免震装置では、設置時にゴム球を上下の構造物間にバランス良く分散配置しても、地震時の転動により、図５に示すように、ゴム球１０がバラバラになってしまい、免震性能に悪影響を及ぼすという問題があった。なお、図５において、１１は下部構造物である。
【特許文献１】特開平１１−３０３２８９号公報
【発明の開示】
【発明が解決しようとする課題】
【０００４】
本発明の目的は、ゴム球を用いた免震装置において、常に良好な免震性能を発揮することが可能な免震装置を提供することにある。
【課題を解決するための手段】
【０００５】
上記目的を達成する本発明は、上下の硬質板間に複数のゴム球を転動可能に配置した免震装置において、前記上下の硬質板間に各ゴム球を転動可能に区分する枠体を配置したことを特徴とする。
【発明の効果】
【０００６】
上記構成よりなる本発明の免震装置によれば、地震時に転動してもゴム球が常に枠体内に維持されるので、従来のようにバラバラになることがない。そのため、良好な免震性能を常に発揮することができる。
【０００７】
また、免震装置の設置時に、上下の硬質板間でゴム球を決められた所定位置に容易に配置することができるので、設置を容易にすることができ、更にゴム球がバラバラにならないので、その取替えも容易にできる。
【発明を実施するための最良の形態】
【０００８】
以下、本発明の実施の形態について添付の図面を参照しながら詳細に説明する。
【０００９】
図１，２は、本発明の免震装置の一例を示し、１は建物を載置する上硬質板、２は基礎土台に敷設される下硬質板、３は上下の硬質板間に配置されたゴム球、４はゴム球３を区分収容する枠体である。
【００１０】
上硬質板１及び下硬質板２は、それぞれ鋼板から矩形状に形成され、上硬質板１の下面１ａ及び下硬質板２の上面２ａには、その周縁部に沿って上下の柵部５，６がそれぞれ環状に突設してある。
【００１１】
下側の柵部６の外周面６ａには、ゴムシート７が外周面６ａに沿って環状に貼着されている。ゴムシート７は柵部６から上側の棚部５まで達するように上方に突出して、上下の柵部５，６間に生じる間隙を塞ぎ、柵部５，６内に異物が浸入するのを防ぐようにしている。
【００１２】
柵部５，６内の上下の硬質板１，２間に、枠体４が配置されている。枠体４は、直方体状のブロック体４Ａに、所定の間隔で上下に貫通する断面円形の貫通孔を形成して構成され、その貫通孔が枠体４の上下に開口するゴム球３の収容空間部４Ｂになっている。
【００１３】
ブロック体４Ａの高さは、ゴム球３の直径より小さく、各収容空間部４Ｂにゴム球３をそれぞれ収容した際に、各ゴム球３が上下の硬質板１，２に接触（免震装置設置時に圧接）して地震時に転動できるようにしている。
【００１４】
ブロック体４Ａを構成する材料としては、ゴム球を区分できる材料であれば何れの材料を用いてもよいが、好ましくは軽量なものがよく、例えば、発泡スチロール、木材、樹脂などを挙げることができる。これらの中でも、特に発泡スチロールを使用するのが軽量かつ安価なため望ましい。
【００１５】
枠体４の収容空間部４Ｂを囲む側壁部４Ｃの上端には、図３，４に示すように、ゴム球３を側壁部４Ｃから離間させて収容空間部４Ｂ内の中央側に位置決めするための可撓性部材８が収容空間部４Ｂ側に向けて突設してある。
【００１６】
可撓性部材８は、樹脂フィルム８Ｘから構成され、この樹脂フィルム８Ｘがブロック体４Ａの上面全体に固着されている。樹脂フィルム８Ｘは、収容空間部４Ｂに対応する位置に収容空間部４Ｂより径を小さくした円形の孔部８Ａが形成され、その孔部８Ａに隣接する周縁部８Ｂが側壁部上端に環状に突出している。
【００１７】
環状の周縁部８Ｂには、複数箇所にスリット８Ｃが形成され、ゴム球３が転動時に当たった際に突出する周縁部８Ｂを撓み易くし、ゴム球３の転動動作を妨げないようにしている。
【００１８】
枠体４のブロック体４Ａ下面には、下硬質板２の上面２ａに摺動可能に当接する複数の突起部９が固設され、ゴム球３の転動時、それに伴って移動する枠体４を下硬質板２に対して移動し易くしてある。このような突起部９は、例えば、ブロック体４Ａの下面に頭部を露出するようにボルトを植設することで容易に形成することができる。
【００１９】
上述した本発明によれば、上下の硬質板１，２間に各ゴム球３を転動可能に区分する枠体４を配置することで、各ゴム球３は常に枠体４内に維持された状態となるため、地震時に転動してもバラバラになるようなことがない。従って、常に良好な免震性能を発揮することができる。
【００２０】
また、免震装置の設置時に、上下の硬質板１，２間におけるゴム球３の位置決めが簡単にできるため、設置が容易になり、しかもゴム球３がバラバラにならないので、ゴム球３の取替えも容易に行うことができる。
【００２１】
本発明において、上記枠体４は、硬質板１，２の形状に合わせてブロック体４Ａを直方体状に形成したが、硬質板１，２の形状に合う形状であれば、円柱状や三角柱状などのブロック体を用いることもできる。
【００２２】
また、枠体４は、上記実施形態では、ブロック体４Ａに収容空間部４Ｂを形成する構成にしたが、ブロック体４Ａに代えて、枠板部材を組み合わせて収容空間部４Ｂを有するように構成してもよく、各ゴム球３を転動可能に区分できる構成であればいずれの構成を採用してもよい。
【図面の簡単な説明】
【００２３】
【図１】本発明の免震装置の一例を可撓性部材を取り除いた状態で一部切欠いて示す平面図である。
【図２】図１の免震装置を一部断面で示す正面図である。
【図３】図２の要部拡大図である。
【図４】図３において、枠体の収容空間部内から可撓性部材を見た説明図である。
【図５】従来の免震装置において、ゴム球がバラバラになった状態を示す説明図である。
【符号の説明】
【００２４】
１  上硬質板    
２  下硬質板
３  ゴム球  
４  枠体
４Ａ  ブロック体  
４Ｂ  収容空間部
４Ｃ  側壁部  
５，６  柵部
７  ゴムシート        
８  可撓性部材
８Ｘ  樹脂フィルム  
９  突起部
【図１】
2005233201.tif 000003
【図２】
2005233201.tif 000004
【図３】
2005233201.tif 000005
【図４】
2005233201.tif 000006
【図５】
2005233201.tif 000007